(57)【特許請求の範囲】
【請求項１】
空気吸込口から吸入した空気を空気吹出口から吐出させる送風部と、前記送風部により送風された風を加熱する加熱部と、前記加熱部を駆動させた際に、加熱された風が通過する温風流路と、元のままの風が通過する冷風流路と、が内部に設けられたハウジングと、
前記冷風流路を通過する風の温度を検知する温度検知部と、
前記温度検知部の検出温度に応じて前記加熱部を制御する制御部と、を備え、
前記温度検知部を、前記ハウジング内の冷風流路に設け、
前記温度検知部の前記空気吸込口側または当該温度検知部と略同じ位置には、前記送風部を駆動させるための電圧降下用の発熱体が設けられており、
前記温度検知部を、前記発熱体に対して前記ハウジングの軸方向にずらして配置したことを特徴とする加熱送風装置。
【請求項２】
前記冷風流路は、前記空気吸込口から前記ハウジング内に形成された分流部までの流路となる第１の冷風流路と、前記分流部から前記加熱部を迂回して前記空気吹出口から吐出されるまでの流路となる第２の冷風流路と、を備えており、
前記温度検知部を、前記第２の冷風流路に設けたことを特徴とする請求項１に記載の加熱送風装置。
【請求項３】
前記温度検知部を、回路基板上に設けたことを特徴とする請求項１または２に記載の加熱送風装置。
【請求項４】
前記温度検知部を、前記回路基板の風が通過する流路面側に設けたことを特徴とする請求項３に記載の加熱送風装置。
【請求項５】
前記制御部は、自動的に温風モードと冷風モードとが交互に切り換わるように前記加熱部を制御することを特徴とする請求項１〜４のうち何れか１項に記載の加熱送風装置。
【請求項６】
前記制御部は、前記温度検知部の検出温度に応じて前記温風モードおよび冷風モードの運転時間を変更するように前記加熱部を制御することを特徴とする請求項５に記載の加熱送風装置。
【請求項７】
前記制御部は、前記温度検知部による検出温度が上昇する際の閾値を、検出温度が下降する際の閾値よりも高く設定して制御することを特徴とする請求項６に記載の加熱送風装置。
【発明の詳細な説明】
【技術分野】
【０００１】
本発明は、温風と冷風とを吐出させることのできる加熱送風装置に関する。
【背景技術】
【０００２】
従来の加熱送風装置として、使用環境温度を検知する温度検知部を設け、この温度検知部が検出した環境温度に応じて、温風の温度を調整するようにしたヘアドライヤーが知られている（例えば特許文献１参照）。
【０００３】
このような構成により、例えば夏場などで環境温度が高い場合には、温風の温度を冬場よりも低くして髪の過乾燥を抑制し、逆に冬場などで環境温度が低い場合には、温風の温度を夏場よりも高くして髪の乾燥不足を抑制できるようにしている。
【先行技術文献】
【特許文献】
【０００４】
【特許文献１】特開平３−１９５５０６号公報
【発明の概要】
【発明が解決しようとする課題】
【０００５】
しかしながら、上記従来の加熱送風装置にあっては、温度検知部がハウジングの外側面に形成された凹部に保護カバーを介して設けられている。そのため、温度検知部の環境温度の変化に対する応答性が悪化してしまう恐れがあった。一例として、例えば環境温度の高いところから低いところへ移動して加熱送風装置を使用するような場合に、温度検知部はその新しい環境温度を検出するまでにある程度の時間を要してしまう。よって、その間は最適な温度の温風を供給できない恐れがある。
【０００６】
そこで、本発明は、温度検知部の環境温度の変化に対する応答性をより高めることのできる加熱送風装置を得ることを目的とする。
【課題を解決するための手段】
【０００７】
上記目的を達成するために、本発明の第１の特徴は、空気吸込口から吸入した空気を空気吹出口から吐出させる送風部と、前記送風部により送風された風を加熱する加熱部と、前記加熱部を駆動させた際に、加熱された風が通過する温風流路と、元のままの風が通過する冷風流路と、が内部に設けられたハウジングと、前記冷風流路を通過する風の温度を検知する温度検知部と、前記温度検知部の検出温度に応じて前記加熱部を制御する制御部と、を備え、前記温度検知部を、前記ハウジング内の冷風流路に設け、前記温度検知部の前記空気吸込口側または当該温度検知部と略同じ位置には、前記送風部を駆動させるための電圧降下用の発熱体が設けられており、前記温度検知部を、前記発熱体に対して前記ハウジングの軸方向にずらして配置したことを要旨とする。
【０００８】
第２の特徴は、前記冷風流路は、前記空気吸込口から前記ハウジング内に形成された分流部までの流路となる第１の冷風流路と、前記分流部から前記加熱部を迂回して前記空気吹出口から吐出されるまでの流路となる第２の冷風流路と、を備えており、前記温度検知部を、前記第２の冷風流路に設けたことを要旨とする。
【００１０】
第３の特徴は、前記温度検知部を、回路基板上に設けたことを要旨とする。
【００１１】
第４の特徴は、前記温度検知部を、前記回路基板の風が通過する流路面側に設けたことを要旨とする。
【００１２】
第５の特徴は、前記制御部は、自動的に温風モードと冷風モードとが交互に切り換わるように前記加熱部を制御することを要旨とする。
【００１３】
第６の特徴は、前記制御部は、前記温度検知部の検出温度に応じて前記温風モードおよび冷風モードの運転時間を変更するように前記加熱部を制御することを要旨とする。
【００１４】
第７の特徴は、前記制御部は、前記温度検知部による検出温度が上昇する際の閾値を、検出温度が下降する際の閾値よりも高く設定して制御することを要旨とする。
【発明の効果】
【００１５】
本発明によれば、温度検知部をハウジング内の冷風流路に設けたので、温度検知部の環境温度の変化に対する応答性をより高めることができる。すなわち、環境温度の高いところから低いところへ移動して加熱送風装置を使用するような場合にも、その新しい環境の空気をハウジング内に取り込んで冷風流路に設けられた温度検知部に当てることができる。よって、温度検知部はその風に基づいて新しい環境の温度をより早く検出することができるようになり、その結果、より素早く最適な温度の温風を供給することができるようになる。
【図面の簡単な説明】
【００１６】
【図１】本発明の第１実施形態にかかる加熱送風装置としてのヘアドライヤーの断面図である。
【図２】本発明の第２実施形態にかかる加熱送風装置としてのヘアドライヤーの断面図である。
【図３】本発明の第３実施形態にかかる加熱送風装置としてのヘアドライヤーの発熱体の配置を示す断面図である。
【図４】本発明の第４実施形態にかかる加熱送風装置としてのヘアドライヤーの断面図である。
【図５】図４に示すヘアドライヤーの変形例を示した図である。
【図６】本発明の第１〜第４実施形態にかかる加熱送風装置のヒータ部への通電とそれに伴う毛髪の温度変化をグラフで示した説明図である。
【図７】図６に示す加熱送風装置の環境温度の変化とそれに伴う温風モードおよび冷風モードの運転時間の変化を示した説明図である。
【図８】図７に示すグラフの第１変形例を示した説明図である。
【図９】図７に示すグラフの第２変形例を示した説明図である。
【図１０】本発明にかかる加熱送風装置の変形例としてのヘアブラシの断面図である。
【発明を実施するための形態】
【００１７】
以下、本発明の実施形態について図面を参照しながら詳細に説明する。
【００１８】
［第１実施形態］
図１は、本発明の加熱送風装置の第１実施形態を示した図であり、本実施形態では本発明を加熱送風装置としてのヘアドライヤー１に適用した場合を示す。
【００１９】
本実施形態のヘアドライヤー１は、内部に風洞部２が設けられたハウジング３と、このハウジング３の後部下側から突設されたグリップ取付部３ａに回動自在な連結部４を介して折り畳み自在に連結されたグリップ部５と、を備えて構成されている。なお、本実施形態を説明するにあたって、図中Ｘ方向を左右方向、Ｙ方向を前後方向、Ｚ方向を上下方向として説明するものとする。
【００２０】
図１に示すように、ハウジング３の後端部（空気流路Ｗの上流側端部：図１の右側）には、フィルタ１０で覆われた空気吸込口２ａが設けられる一方で、前端部（空気流路Ｗの下流側端部：図１の左側）には空気吹出口２ｂが設けられている。ハウジング３内の風洞部２には、その中心線が風洞部２の中心線上に位置する円筒状の内筒６が設けられており、この内筒６の内部にヒータ部（加熱部）Ｈが配置されている。なお、本実施形態では、グリップ部５よりも前側に位置するハウジング３の内周面部を風洞部２としている。
【００２１】
空気流路Ｗは、ヒータ部Ｈを駆動させた際に、加熱された風が通過する温風流路３１と、元のままの風が通過する冷風流路３２とを備えている。また、本実施形態では、ハウジング３内にこの空気流路Ｗの風を分岐する分流部１２が設けられている。そして、分流部１２から内筒６の内側にあるヒータ部Ｈを通過して空気吹出口２ｂの第１の吐出口７から吐出される流路を第１の流路Ｗ１とし、分流部１２から内筒６の外側を通過して空気吹出口２ｂの第２の吐出口８から吐出される流路を第２の流路Ｗ２としている。よって、本実施形態の冷風流路３２は、空気吸込口２ａから分流部１２までの流路となる第１の冷風流路３２ａと、分流部１２からヒータ部Ｈを迂回して空気吹出口２ｂから吐出されるまでの流路となる第２の冷風流路３２ｂとを備えていることになる。
【００２２】
第１の吐出口７は、ハウジング３の正面視で中心部に配置されており、第２の吐出口８はこの第１の吐出口７の周辺部に配置されている。このとき、本実施形態では、第１の吐出口７の開口面積を第２の吐出口８の開口面積よりも大きくしており、第１の吐出口７の風量が第２の吐出口８の風量よりも多く吹き出されるようにしている。なお、ハウジング３の前端部には、内側ノズル部２１と外側ノズル部２２とで主体が構成された二重筒構造のノズル２３が取り付けられている。
【００２３】
ハウジング３の内部の後部、すなわち内筒６よりもやや上流側には、その中心線が内筒６の中心線の延長線上に位置し、且つ上流側端部の開口１１ａが空気吸込口２ａに向かって徐々に拡開する整流筒１１が設けられている。そして、この整流筒１１の下流側端部と内筒６の上流側端部との間に、内筒６の外部空間（内筒６と風洞部２との間に形成された空間）と連通する分流部１２が設けられている。
【００２４】
整流筒１１の内部には送風部９が配設されている。送風部９は、ファン９ａと、このファン９ａを回転するモータ９ｂと、このモータ９ｂを整流筒１１の内側に支持して通過空気の整流機能を奏する整流翼９ｃなどによって構成されている。そして、ファン９ａがモータ９ｂで回転駆動されることにより整流筒１１内に空気流を発生させ、空気吸込口２ａから吸い込んだ空気を空気吹出口２ｂから吐出させるようになっている。
【００２５】
また、ハウジング３にはイオン放出部２５が設けられている。このイオン放出部２５は、本実施形態では静電霧化装置２６と、この静電霧化装置２６が生成した帯電微粒子水を吹き出すイオン吹出口２７とから成る。本実施形態では、このイオン放出部２５が内筒６と風洞部２との間の空間に設けられており、第２の流路Ｗ２を流れる風の一部に乗せてイオン吹出口２７から帯電微粒子水を放出できるようしている。
【００２６】
静電霧化装置２６は、ハウジング３の後部に設けられた高電圧発生部２８で発生させた高電圧を図示せぬ構成部材（ペルチェ素子、放電電極、対極板など）に印加することで、放電電極に結露させた水滴を原材料として帯電微粒子水を生成するものである。
【００２７】
イオン吹出口２７は、ハウジング３の上部前面に開口して設けられており、帯電微粒子水を前方に放出させることによって、毛髪に電子と水分を供給し、毛髪に艶やしっとり感を与えることができる。
【００２８】
グリップ部５の前側中央部には、上下複数段の切り換え自在にスイッチ部Ｓが設けられており、このスイッチ部Ｓによってモータ９ｂおよびヒータ部Ｈのオン・オフおよび風量調節などが行われるようになっている。また、グリップ部５の下端には電源に繋げるコードＣが取り付けられている。
【００２９】
また、ハウジング３には、送風部９のモータ９ｂを駆動させるために、電源コードＣを介して印加される電圧を降下させるヒータ線３０（発熱体）が設けられている。すなわち、本実施形態ではヘアドライヤー１の軽量化、小型化などを実現させるために、電源コードＣを介して印加される電圧に対して、実際に入力される電圧が低いモータ９ｂを用いるようにしている。そして、例えば入力電圧の８０パーセントをヒータ線３０で消費し、残りの２０パーセントの電圧でモータ９ｂを駆動させるようにしている。その一方で、ヒータ部Ｈには、そのままの１００パーセントの電圧が印加されるようになっている。
【００３０】
なお、この発熱体は、ヒータ線３０などの発熱を伴う抵抗体を用いるのが好ましい。本実施形態のようにヒータ線３０を用いた場合には、コストの面やハウジング３内のスペースにあまり嵩張らずに配置できるので好適である。なお、本実施形態では、大きさやコストの面からヒータ線３０を用いて発熱体を構成しているが、例えば、トランスやブロック状等の発熱を伴う抵抗体を用いてもよい。
【００３１】
また、本実施形態のヘアドライヤー１は、使用環境温度を検知する温度検知部４０を備えており、この温度検知部４０が検出した環境温度に応じて、温風の温度を調整するようにしている。そして、例えば夏場などで環境温度が高い場合には、温風の温度を冬場よりも低くして毛髪の過乾燥を抑制し、逆に冬場などで環境温度が低い場合には、温風の温度を夏場よりも高くして毛髪の乾燥不足を抑制できるようにしている。
【００３２】
ここで、本実施形態では、この温度検知部４０をハウジング３内の冷風流路３２に設けている。具体的には、図１に示すように、本実施形態では上述した冷風流路３２のうちの空気吸込口２ａから分流部１２までの流路となる第１の冷風流路３２ａに配置しており、空気吸込口２ａの近傍に設けられた図示せぬ支持部に固定させている。
【００３３】
以上により、本実施形態のヘアドライヤー１では、温度検知部４０をハウジング３内の冷風流路３２に設けたので、温度検知部４０の環境温度の変化に対する応答性をより高めることができる。すなわち、環境温度の高いところから低いところへ移動してヘアドライヤー１を使用するような場合にも、その新しい環境の空気をハウジング３内に取り込んで冷風流路３２に設けられた温度検知部４０に当てることができる。よって、温度検知部４０はその風に基づいて新しい環境の温度をより早く検出することができるようになり、その結果、より素早く最適な温度の温風を供給することができるようになる。
【００３４】
また、本実施形態ではこのように新しい環境温度の空気を温度検知部４０に当てることができるので、ヘアドライヤー１の使用中に環境温度が変化した場合にも、即座に対応して追従させることができるという利点がある。
【００３５】
［第２実施形態］
次に、本発明の第２実施形態について図面を参照して説明する。図２は、本実施形態にかかる加熱送風装置としてのヘアドライヤーを示した図である。なお、本実施形態を説明するにあたって、上記第１実施形態のヘアドライヤー１と同一構成部分に同一符号を付して重複する説明を省略して述べるものとする。
【００３６】
本実施形態のヘアドライヤー１Ａが上記第１実施形態のヘアドライヤー１と主に異なる点は、温度検知部４０を冷風流路３２のうちの第２の冷風流路３２ｂに設けたことにある。
【００３７】
上述したように、本実施形態のヘアドライヤー１Ａにあっても、冷風流路３２は、空気吸込口２ａから分流部１２までの第１の冷風流路３２ａと、分流部１２からヒータ部Ｈを迂回して空気吹出口２ｂから吐出されるまでの第２の冷風流路３２ｂとを備えている。そして、本実施形態の温度検知部４０は、第２の冷風流路３２ｂ内となる内筒６の外周側に図示せぬ支持部に固定されて設けられている。
【００３８】
以上により、本実施形態のヘアドライヤー１Ａにあっても、上記第１実施形態と同様の作用効果を得ることができる。
【００３９】
また、本実施形態では、温度検知部４０を、分流部１２からヒータ部Ｈを迂回して空気吹出口２ｂから吐出されるまでの流路となる第２の冷風流路３２ｂに設けている。言換すると、温度検知部４０をハウジング３の内部であって空気吸込口２ａから遠ざけて配置するようにしている。そのため、例えばヘアドライヤー１Ａを落下させた際などにより安全な場所となるハウジングの中心側に配置できるので、ヘアドライヤー１Ａの信頼性を高めて商品価値を向上させることができる。
【００４０】
なお、本実施形態では、ヒータ部Ｈが内筒６の内側に配置されている関係上、冷風流路３２（第２の冷風流路３２ｂ）が内筒６の外側に設けられている。しかしながら、これに限定されず、例えばヒータ部Ｈが内筒６の外側に配置されるような構成の場合には、冷風流路３２（第２の冷風流路３２ｂ）は内筒６の内側に設けられることとなる。
【００４１】
また、本実施形態では、上記第１実施形態と同様に、分流部１２がグリップ部５（グリップ取付部３ａ）と前後方向Ｚの略同じ位置に設けられているが、グリップ部５（グリップ取付部３ａ）よりも上流側に分流部１２を設けてもよいし、下流側に設けてもよい。
【００４２】
［第３実施形態］
次に、本発明の第３実施形態について図面を参照して説明する。図３は、本実施形態にかかる加熱送風装置としてのヘアドライヤーを示した図である。なお、本実施形態を説明するにあたって、上記第１および第２実施形態のヘアドライヤー１、１Ａと同一構成部分に同一符号を付して重複する説明を省略して述べるものとする。
【００４３】
本実施形態のヘアドライヤー１Ｂが上記第１および第２実施形態のヘアドライヤー１、１Ａと主に異なる点は、温度検知部４０の上流側（空気吸込口２ａ側）に、送風部９を駆動させるための電圧降下用のヒータ線（発熱体）３０が設けられている。そして、温度検知部４０を、このヒータ線３０に対してハウジング３の軸方向となる前後方向Ｙにずらして配置したことにある。
【００４４】
本実施形態のヒータ線３０は、図３に示すように、冷風流路３２にひし形状に配置されている。ヒータ線３０は、上述したように発熱を伴う抵抗体であるため、空気吸込口２ａからこのヒータ線３０を通過して後流側に流れる空気は、ヒータ線３０に接触することで若干温められてしまうことになる。そこで、本実施形態では、温度検知部４０をヒータ線３０に対してハウジング３の軸方向となる前後方向Ｙにずらして配置することで、その若干温められてしまった風が温度検知部４０に接触するのを抑制できるようにしている。
【００４５】
また、本実施形態では、温度検知部４０をひし形状のヒータ線３０から離れた位置となる隣接する頂点どうしの間に配置するようにしている。
【００４６】
以上により、本実施形態のヘアドライヤー１Ｂにあっても、上記第１および第２実施形態と同様の作用効果を得ることができる。
【００４７】
また、本実施形態では、温度検知部４０をヒータ線３０に対してハウジング３の軸方向となる前後方向Ｙにずらして配置している。そのため、ヒータ線３０を通過した若干温められてしまった風が温度検知部４０に接触するのを抑制でき、環境温度の検知精度を高めることができる。
【００４８】
なお、本実施形態では、ヒータ線３０をひし形状に配置したが、これに限定されず、例えば略円弧状に配置したり、多角形状に配置してもよい。但し、ヒータ線３０はハウジング３の周方向に沿って均一に配置されることが望まれる。こうすれば、空気吹出口２ｂ（特に第２の吐出口８）から吐出される冷風の温度を周方向に均一にすることができるためである。これにより、使用者に周方向の一部のみで冷風の温度が高く感じられるといった不快感を与えるのを抑制することができる。
【００４９】
また、温度検知部４０は、ヒータ線３０とハウジング３の軸方向となる前後方向Ｙの略同じ位置に設けられていてもよい。この場合の構成として、例えばヒータ線３０を略四角形状（略円弧状）のうち一部が欠ける凹の字状に設け、このヒータ線３０のへこんだ部位に、温度検知部４０を配置することができる。
【００５０】
［第４実施形態］
次に、本発明の第４実施形態について図面を参照して説明する。図４は、本実施形態にかかる加熱送風装置としてのヘアドライヤーを示した図である。なお、本実施形態を説明するにあたって、上記第１〜第３実施形態のヘアドライヤー１、１Ａ、１Ｂと同一構成部分に同一符号を付して重複する説明を省略して述べるものとする。
【００５１】
本実施形態のヘアドライヤー１Ｃが上記第１〜第３実施形態のヘアドライヤー１、１Ａ、１Ｂと主に異なる点は、温度検知部４０を、回路基板４５上に設けたことにある。
【００５２】
具体的には、図４に示すように、本実施形態では制御部３５が一体に設けられた回路基板４５上に温度検知部４０が固定されており、この回路基板４５のうちの少なくとも温度検知部４０が設けられる部位が冷風流路３２内に配置されるようになっている。
【００５３】
以上により、本実施形態のヘアドライヤー１Ｃにあっても、上記第１〜第３実施形態と同様の作用効果を得ることができる。
【００５４】
また、本実施形態では、温度検知部４０を回路基板４５上に設けている。そのため、温度検知部４０の安定した保持が可能となり、例えばヘアドライヤー１Ｃを落下させた際など、より安全性を高めることができる。
【００５５】
なお、本実施形態では、温度検知部４０を制御部３５が一体に設けられた回路基板４５上に搭載させたが、これに限定されず、例えば温度検知部４０用の専用の回路基板に設けたり、イオン放出部２５が設けられる回路基板に設けたりすることもできる。
【００５６】
次に、本第４実施形態にかかるヘアドライヤー１Ｃの変形例について、図５を参照して説明する。
【００５７】
本変形例のヘアドライヤー１Ｃが第４実施形態のヘアドライヤー１Ｃと主に異なる点は、温度検知部４０を、回路基板４５の風が通過する流路面側に設けたことにある。すなわち、本変形例では、回路基板４５の流路面側となる表面側４５ａに温度検知部４０が設けられており、裏面側がハウジング３の内側面に固定されている。
【００５８】
以上により、本変形例のヘアドライヤー１Ｃにあっても、上記４実施形態と同様の作用効果を得ることができる。
【００５９】
また、本変形例では、温度検知部４０を、回路基板４５の風が通過する流路面側に設けている。そのため、温度検知部４０に確実に空気吸込口２ａから取り込まれた風を当てることができるので、環境温度の変化に対する応答性をより高めることができる。
【００６０】
次に、ヘアドライヤー１、１Ａ、１Ｂ、１Ｃの制御部３５について説明する。図６は、上記第１〜第４実施形態にかかる加熱送風装置としてのヘアドライヤー１、１Ａ、１Ｂ、１Ｃの加熱部Ｈへの通電とそれに伴う毛髪の温度変化をグラフで示した説明図である。
【００６１】
上記各実施形態のヘアドライヤー１〜１Ｃにあっては、制御部３５（図８参照）は、自動的に温風モードと冷風モードとが交互に切り換わるようにヒータ部Ｈを制御するのが好ましい。すなわち、図６の説明図に示すように、上記各実施形態では約３秒〜１０秒の間でヒータ部Ｈへの通電を間欠的に行うようにさせている。こうすることで、毛髪の成分であるケラチンの一種に、ガラス転移点が約５０℃付近のものがあり、ガラス転移点を行き来する温度を与えることができる。
【００６２】
このように上記各実施形態では、自動的に温風モードと冷風モードとが交互に切り換わるようにしたので、使用者のスイッチ部Ｓによる切換作業が不要となり、使い勝手のよいヘアドライヤー１〜１Ｃを提供することができる。
【００６３】
また、上記各実施形態では毛髪のくせ伸ばし効果の高まる約６０℃以上の温風と４０℃以下の冷風を正確に繰り返して発生させることができるので、使用者に問わず誰が使用しても簡単にくせ伸ばし効果や、それに伴う毛髪の艶だし効果を与えることができる。さらに、温風と冷風による心地よい頭皮へのマッサージ感を与えることができるという利点もある。
【００６４】
なお、上記各実施形態では、毛髪の温度が約７０℃〜３０℃の間の温度差Ｔで繰り返すようにヒータ部Ｈへの通電時間を３秒〜１０秒の間と設定したが、これに限定されない。また、ヒータ部Ｈの制御方法は、ヒータ部Ｈへの通電のＯＮ、ＯＦＦに限らず、例えばマイコンのゼロクスを活用することで、１周期のうちの一部のみを通電する方法などを用いてもよい。
【００６５】
また、図７および図８に示す変形例のように、制御部３５は、温度検知部４０の検出温度に応じて温風モードおよび冷風モードの運転時間を変更するようにヒータ部Ｈを制御するのが好ましい。
【００６６】
すなわち、ヒータ部Ｈへの通電を間欠的に行い温風モードと冷風モードとを切り換える構成では、例えば夏場や冬場などで環境温度が大きく変化する場合に、通常の運転時間では上述した毛髪に最適な温度の風（特に温風）を供給できない恐れがある。そこで、温度検知部４０が検出した環境温度に応じて温風モードおよび冷風モードの運転時間を変更することで、毛髪に最適な温度の風を供給できるようにしている。
【００６７】
例えば図７に示す変形例では、環境温度が１８℃の場合には、冷風モードの運転時間を約５秒、温風モードの運転時間を約７秒とし、環境温度が約２８℃の場合には、冷風モードの運転時間を約７秒、温風モードの運転時間を約５秒としている。
【００６８】
このように、環境温度に応じて温風モードと冷風モードの運転時間を柔軟に変更することで、例えば夏場の過乾燥を抑制できるとともに、冬場の乾燥不足を抑制することができる。なお、図７に示す変形例のように、環境温度に比例して温風モードと冷風モードの運転時間を一定に変化させる方法以外にも、図８に示す変形例のように、少なくとも二段階以上の変化をもった段階的な運転時間の変更を行うこともできる。
【００６９】
また、図９に示すように、制御部３５は、温度検知部４０による検出温度が上昇する際の閾値を、検出温度が下降する際の閾値よりも高く設定して制御するのが好ましい。
【００７０】
すなわち、温度検出部４０が検出した環境温度が温風モードと冷風モードの運転時間を変更する閾値となった場合に、温風モードの運転時間を短くする環境温度の閾値よりも温風モードの運転時間を長くする環境温度の閾値を低く設定するようにする。逆に、図９では図示省略したが、冷風モードの運転時間を短くする環境温度の閾値よりも冷風モードの運転時間を長くする環境温度の閾値を高く設定するようにしてもよい。こうすれば、温風モードの運転時間および冷風モードの運転時間を変更する閾値付近の環境温度の運転においても、頻繁に温風モードの運転時間および冷風モードの運転時間が変化することなく、商品価値が低下するのを抑制することができる。
【００７１】
以上、本発明の好適な実施形態について説明したが、本発明は上記実施形態には限定されず、種々の変形が可能である。
【００７２】
例えば、上記各実施形態では、本発明を加熱送風装置としてのヘアドライヤー１〜１Ｃに適用したが、例えば図１０に示す変形例のように、グリップ部５にブラシＢが形成されたハウジング３を取り付けたヘアブラシ１Ｄに適用してもよい。この場合、温度検知部は冷風流路３２内であればどこに設けてもよい。
【００７３】
また、上記実施形態では、イオン放出部では帯電微粒子水を発生させるようにしたが、例えば、金属微粒子発生装置により金属微粒子を発生させても良い。または、イオン発生ブロックにより、マイナスイオンを発生させても良い。
【符号の説明】
【００７４】
１、１Ａ、１Ｂ、１Ｃ  ヘアドライヤー（加熱送風装置）
１Ｂ    ヘアブラシ（加熱送風装置）
２ａ    空気吸込口
２ｂ    空気吹出口
３      ハウジング
９      送風部
３１    温風流路
３２    冷風流路
３２ａ  第１の冷風流路
３２ｂ  第２の冷風流路
３５    制御部
４０    温度検知部
Ｈ    ヒータ部（加熱部）
【図１】
0005504227.tif 000002
【図２】
0005504227.tif 000003
【図３】
0005504227.tif 000004
【図４】
0005504227.tif 000005
【図５】
0005504227.tif 000006
【図６】
0005504227.tif 000007
【図７】
0005504227.tif 000008
【図８】
0005504227.tif 000009
【図９】
0005504227.tif 000010
【図１０】
0005504227.tif 000011